(57)【特許請求の範囲】
【請求項１】
キャビネットの扉と箱体との間を繋ぐ蝶番であって、
前記扉に取り付けられる扉側部材と、
前記箱体に取り付けられる箱体側部材と、
前記扉側部材及び前記箱体側部材の両方に挿通される蝶番ピンと、を備え、
前記扉側部材及び前記箱体側部材のうちの一方を第１部材とし、他方を第２部材としたときに、
前記蝶番ピンは、
前記第１部材によって保持されたまま所定方向に沿って移動することで、
前記蝶番ピンの一部が、前記第２部材に形成された保持穴に挿通されている第１状態と、
前記蝶番ピンの全体が前記保持穴から外れている第２状態と、が切り替わるものであり、
前記第１状態及び前記第２状態の切り替えを行うための操作を、前記扉に形成された開口を通じて、前記扉の内側から行うことが可能となっており、
前記蝶番ピンの全体が、前記扉の外側表面よりも更に外側となる位置に配置されていることを特徴とする蝶番。
【請求項２】
前記蝶番ピンのうち前記開口と対向する部分には、
前記第１状態及び前記第２状態の切り替えを行うための操作がなされる部分、である被操作部が形成されていることを特徴とする、請求項１に記載の蝶番。
【請求項３】
前記被操作部においては、前記蝶番ピンの側面の一部が凹状に後退している、請求項２に記載の蝶番。
【請求項４】
前記被操作部においては、前記蝶番ピンの側面の一部が突出している、請求項２に記載の蝶番。
【請求項５】
請求項１乃至４のいずれか１項に記載の蝶番を備えたキャビネット。
【発明の詳細な説明】
【技術分野】
【０００１】
本開示は、蝶番、及び蝶番を備えたキャビネットに関する。
【背景技術】
【０００２】
例えば電気電子機器用のキャビネットは、分電盤等の各種電気電子機器を内部に収納するための箱体と、当該箱体の入口を覆う扉と、を有している。箱体と扉との間は蝶番により繋がれている。これにより、扉は、箱体に対して開閉自在な状態で支持される。
【０００３】
キャビネットの内部に電気電子機器を設置する作業を行う際には、扉が開かれた状態であっても、扉が作業の邪魔になってしまうことがある。このため、上記の作業は扉を箱体から取り外した状態で行われるのが一般的である。
【０００４】
下記特許文１に記載された蝶番は、扉に取り付けられる部分である蝶番ピン保持具と、箱体に取り付けられる部分である蝶番受具と、蝶番ピン保持具及び蝶番受具の両方に挿通されて両者を繋ぐ蝶番ピンと、を備えている。上記の蝶番ピン保持具は、扉の外側表面よりも更に外側となる位置において蝶番ピンを保持している。また、蝶番ピンには蝶番ピン操作バーが設けられている。蝶番ピン操作バーは、扉に形成された開口を通じて、扉の外側から内側へと突出している。使用者は、扉を開いた状態で、扉の内側から蝶番ピン操作バーを操作することによって蝶番ピンをスライドさせ、蝶番ピン保持具と蝶番ピンとの係合を解除して扉を取り外すことができる。
【０００５】
このような構成においては、扉の外側表面よりも更に外側となる位置に蝶番ピンが配置されるので、扉と箱体とのなす角度が１８０度となるように、扉を広く開放した状態とすることができる。また、扉を外すための操作は、扉の内側から蝶番ピン操作バーを介してのみ行うことができるので、セキュリティ上の問題が生じてしまうことはない。
【先行技術文献】
【特許文献】
【０００６】
【特許文献１】特開２０１０−２６７８９８号公報
【発明の概要】
【発明が解決しようとする課題】
【０００７】
上記特許文献１に記載された蝶番を備えるキャビネットでは、上記のように、蝶番ピン操作バーが扉の内側へと突出している。扉が閉じられているときには、蝶番ピン操作バーの一部が、開口からキャビネットの内部空間に向けて突出した状態となる。このため、扉が閉じられたときに、蝶番ピン操作バーの先端が電気電子機器や配線と干渉し、これらを傷つけてしまう可能性がある。
【０００８】
本開示は、蝶番ピンの操作を扉の内側から行い得る構成としながらも、電気電子機器や配線を傷つけてしまうことのない蝶番、及び当該蝶番を備えたキャビネットを提供することを目的とする。
【課題を解決するための手段】
【０００９】
本開示に係る蝶番は、キャビネットの扉と箱体との間を繋ぐ蝶番であって、扉に取り付けられる扉側部材と、箱体に取り付けられる箱体側部材と、扉側部材及び箱体側部材の両方に挿通される蝶番ピンと、を備える。扉側部材及び箱体側部材のうちの一方を第１部材とし、他方を第２部材としたときに、蝶番ピンは、第１部材によって保持されたまま所定方向に沿って移動することで、蝶番ピンの一部が、第２部材に形成された保持穴に挿通されている第１状態と、蝶番ピンの全体が保持穴から外れている第２状態と、が切り替わる。この蝶番は、第１状態及び第２状態の切り替えを行うための操作を、扉に形成された開口を通じて、扉の内側から行うことが可能となっており、蝶番ピンの全体が、扉の外側表面よりも更に外側となる位置に配置されていることを特徴とする。
【００１０】
このような構成の蝶番は、蝶番ピンが扉の外側に配置されているので、扉と箱体とのなす角度が１８０度となるように、扉を広く開放した状態とすることができる。また、扉を取り外す際において蝶番ピンに対し行われる操作が、開口を通じて扉の内側から行われるので、外側からの操作により扉が外されてしまうことを防止することができる。更に、蝶番ピンの全体が、扉の外側表面よりも更に外側となる位置に配置されているので、蝶番ピンの一部が、開口を通じてキャビネットの内側に突出することがない。このため、上記特許文献１に記載の蝶番のように、蝶番ピン操作バーが開口を通じて内側へと突出している構成とは異なり、扉が閉じられた際においても、蝶番ピンによって電気電子機器や配線等が傷付けられてしまうことがない。
【発明の効果】
【００１１】
本開示によれば、蝶番ピンの操作を扉の内側から行い得る構成としながらも、電気電子機器や配線を傷つけてしまうことのない蝶番、及び当該蝶番を備えたキャビネットを提供することができる。
【図面の簡単な説明】
【００１２】
【図１】図１は、本実施形態に係る蝶番を備えたキャビネット、の全体構成を示す図である。
【図２】図２は、扉が開かれた状態における、蝶番及びその近傍の部分の構成を示す図である。
【図３】図３は、扉が閉じられた状態における、蝶番及びその近傍の部分の構成を示す図である。
【図４】図４は、蝶番の構成を模式的に示す図である。
【図５】図５は、蝶番が備える扉側部材及び蝶番ピンの構成を示す図である。
【図６】図６は、蝶番が備える扉側部材及び蝶番ピンの構成を示す図である。
【図７】図７は、蝶番が備える扉側部材及び蝶番ピンの構成を示す図である。
【図８】図８は、本実施形態の変形例に係る蝶番ピンの構成を示す図である。
【図９】図９は、本実施形態の他の変形例に係る蝶番ピンの構成を示す図である。
【発明を実施するための形態】
【００１３】
以下、添付図面を参照しながら本実施形態について説明する。説明の理解を容易にするため、各図面において同一の構成要素に対しては可能な限り同一の符号を付して、重複する説明は省略する。
【００１４】
図１には、本実施形態に係る蝶番１００を備えたキャビネット１０、の全体構成が斜視図として示されている。キャビネット１０は、例えば分電盤や情報通信機器等の電気電子機器を内部に収納するためのものである。図１に示されるように、キャビネット１０は全体が矩形の箱として形成されており、箱体２０と、扉３０と、蝶番１００と、を備えている。図１には、扉３０が開かれた状態のキャビネット１０が示されている。
【００１５】
箱体２０は、キャビネット１０の主要部分であって、電気電子機器を収容するための空間が内側に形成された容器である。箱体２０の形状は、上下方向に長い概ね直方体状となっている。箱体２０のうち前方側の側面には開口２１が形成されている。開口２１は、箱体２０の内側に電気電子機器を出し入れする際における出入口となっている。
【００１６】
扉３０は、開口２１を外側から覆い、キャビネット１０の内部に人が侵入したり、内部の電気電子機器が盗難にあったりすること等を防止するための部材である。扉３０は、後述の蝶番１００を介して、扉３０のうち開口２１の縁となる部分に取り付けられている。これにより、扉３０は開閉自在な状態で支持されている。通常時においては、扉３０は閉じられた状態で施錠されている。内部にある電気電子機器のメンテナンスを行う際等においては、扉３０は図１のように開かれた状態となる。
【００１７】
蝶番１００は、上記のように扉３０を開閉自在な状態で支持しながら、扉３０と箱体２０との間を繋ぐためのものである。開口２１を正面から見た場合において、蝶番１００は、開口２１の右側の縁における上端部近傍となる位置に設けられている。
【００１８】
尚、開口２１の縁のうち下端部近傍においては、扉３０に設けられた不図示のピンが、箱体２０に設けられた不図示の穴に上方側から挿通されており、これにより扉３０が開閉自在な状態で支持されている。このような態様に替えて、蝶番１００が、開口２１の上端部近傍及び下端部近傍の両方に設けられており、それぞれの蝶番１００が、扉３０を開閉自在な状態で支持しているような態様であってもよい。
【００１９】
蝶番１００の具体的な構成について説明する。図２には、扉３０が開かれた状態における、蝶番１００及びその近傍の構成が拡大して示されている。図３には、扉３０が閉じられた状態における、蝶番１００及びその近傍の構成が拡大して示されている。図２及び図３においては複雑さを避けるため、箱体２０の図示が省略されている。
【００２０】
図３に示されるように、蝶番１００は、箱体側部材１２０と、扉側部材１１０と、を備えている。また、蝶番１００は、箱体側部材１２０及び扉側部材１１０の両方に挿通される蝶番ピン１３０（図２、３では不図示、図４を参照）も備えている。
【００２１】
箱体側部材１２０は、箱体２０に取り付けられて固定される部分である。図２に示されるように、箱体側部材１２０は、被固定部１２１と、腕部１２３と、保持部１２４と、を有している。
【００２２】
被固定部１２１は、箱体２０に対して締結固定される部分である。被固定部１２１は概ね平板状となっており、２つの貫通穴１２２が形成されている。被固定部１２１は、その主面を箱体２０のうち開口２１の縁の部分に当接させた状態で、貫通穴１２２に不図示のボルトを挿通させることにより締結固定される。
【００２３】
腕部１２３は、被固定部１２１の上端部から、箱体２０とは反対の方向に向かって水平に伸びる部分である。保持部１２４は、腕部１２３の先端から、下方側に向かって伸びるように形成されている。
【００２４】
図４には、蝶番１００の構成が模式的に示されている。同図に示されるように、保持部１２４には、その下端から上方側に向かって凹状に後退するように保持穴１２５が形成されている。保持穴１２５は、その上端が塞がれた有底の穴である。保持穴１２５は円形の穴であって、その内径は、蝶番ピン１３０の外径よりも僅かに大きい程度である。保持穴１２５は、扉側部材１１０から上方に向かって伸びている蝶番ピン１３０の一部をその内側に収容している。これにより、扉側部材１１０及び扉３０が、蝶番ピン１３０の中心軸周りにおいて回転自在な状態で支持されている。
【００２５】
扉側部材１１０は、扉３０に取り付けられて固定される部分である。図３及び図４に示されるように、扉側部材１１０は、保持部１２４の直下となる位置において扉３０に取り付けられている。扉側部材１１０と保持部１２４との間には隙間が形成されている。
【００２６】
図２及び図３において符号「３１」が付されているのは、扉３０の大部分を占める平板状の部分である。以下では、当該部分のことを「平板部３１」とも称する。また、平板部３１のうち、扉３０が閉じられた状態において箱体２０とは反対側となる表面のことを、以下では「外側表面３２」とも称する。また、外側表面３２よりも更に外側のことを「扉３０の外側」のように表記し、外側表面３２よりも内側、すなわち箱体２０側のことを「扉３０の内側」のように表記する。
【００２７】
図５には、扉３０から取り外された状態の扉側部材１１０が斜視図により示されている。図５において「符号１１６」が付されているのは、扉側部材１１０のうち、扉３０の外側表面３２に当接する面である。以下では、当該面のことを「当接面１１６」とも称する。
【００２８】
当接面１１６には、その上下２箇所に締結穴１１７が形成されている。締結穴１１７の内周面には雌螺子加工が施されている。平板部３１のうち締結穴１１７と対応する位置には、不図示の貫通穴が形成されている。図２に示されるように、扉側部材１１０は、上記の貫通穴及び締結穴１１７に挿通されたボルト４０により、扉３０の平板部３１に対して締結固定されている。
【００２９】
扉側部材１１０は、当接面１１６の一部が凹状に後退しており、これにより内部に空間が形成されている。当該空間は、仕切板１１３によって上下に分けられている。仕切板１１３よりも上方側の空間のことを、以下では「空間ＳＰ１」とも称する。仕切板１１３よりも下方側の空間のことを、以下では「空間ＳＰ２」とも称する。仕切板１１３にはこれを上下に貫く貫通穴１１４が形成されている。
【００３０】
また、扉側部材１１０の上端面１１１のうち、貫通穴１１４の直上となる位置には、上端面１１１を上下方向に沿って貫く貫通穴１１２が形成されている。貫通穴１１２及び貫通穴１１４は、いずれも円形の穴であって、その内径は、蝶番ピン１３０の外径よりも僅かに大きい程度である。
【００３１】
蝶番ピン１３０は、金属により形成された概ね円柱形状の部材である。図５に示されるように、蝶番ピン１３０は、貫通穴１１２及び貫通穴１１４の両方を貫くように、扉側部材１１０に挿通された状態で保持されている。蝶番ピン１３０の上端部近傍は、上端面１１１よりも更に上方側に向かって突出している。蝶番ピン１３０のうちこのように突出している部分は、図４を参照しながら先に述べたように、箱体側部材１２０の保持部１２４に下方側から挿通され、保持穴１２５の内側に収容される。このように、蝶番ピン１３０の一部が、箱体側部材１２０に形成された保持穴１２５に挿通されている状態は、本実施形態における「第１状態」に該当する。
【００３２】
図６は、図５に示される扉側部材１１０及び蝶番ピン１３０を、当接面１１６に対し垂直な方向に沿って見て描いた図である。同図に示されるように、空間ＳＰ１にはバネ１４０が配置されている。バネ１４０は所謂コイルバネである。蝶番ピン１３０はバネ１４０の内側に配置されている。バネ１４０の下端は、仕切板１１３の上面に当接している。また、バネ１４０の上端は、蝶番ピン１３０に固定されたリング部材１３５に対して下方側から当接している。図５及び図６の状態においては、バネ１４０はその自然長よりも短くなっている。このため、蝶番ピン１３０は、リング部材１３５を介してバネ１４０からの力を受けている。蝶番ピン１３０は、バネ１４０によって上方側に向けて付勢されているので、その上端が上端面１１１から突出している状態が維持されている。
【００３３】
蝶番ピン１３０のうち下端部近傍の部分、具体的には、蝶番ピン１３０のうち空間ＳＰ２に配置されている部分には、凹部１３１が形成されている。凹部１３１における蝶番ピン１３０の外径は、その他の部分における蝶番ピン１３０の外径よりも小さくなっている。つまり、凹部１３１においては、蝶番ピン１３０の側面の一部が、全周に亘って凹状に後退している、
【００３４】
図２に示されるように、扉３０の平板部３１には開口３３が形成されている。開口３３は、空間ＳＰ２と対応する位置において、平板部３１を貫くように形成されている。このため、図２のように扉３０の内側から見た場合においては、開口３３から、空間ＳＰ２及び蝶番ピン１３０の凹部１３１が見えている。換言すれば、凹部１３１は、蝶番ピン１３０のうち開口３３と対向する部分に形成されている。
【００３５】
使用者は、扉３０の内側から開口３３に指を挿入することで、凹部１３１を把持して蝶番ピン１３０を操作することができる。凹部１３１は、後述の第１状態及び第２状態を切り替えるための操作が、使用者によってなされる部分である。凹部１３１は、本実施形態における「被操作部」に該当する。
【００３６】
これまでの説明及び図４等からも明らかなように、本実施形態では、蝶番ピン１３０の全体が、扉３０の外側表面３２よりも更に外側となる位置に配置されている。このため、箱体２０のうち開口２１が形成されている面と、扉３０の平板部３１とのなす角度が１８０度以上となるように、扉３０を広く開放した状態とすることが可能となっている。
【００３７】
ところで、キャビネット１０の内部に電気電子機器を設置する作業を行う際には、扉３０が上記のように広く開放された状態であっても、扉３０が作業の邪魔になってしまうことがある。このため、上記の作業は、扉３０を箱体２０から取り外した状態で行われることが望ましい。
【００３８】
扉３０を箱体２０から取り外すために、使用者によって行われる作業について説明する。使用者は先ず、図１に示されるように扉３０を開いた状態とする。続いて、使用者は、扉３０の内側から開口３３に指を挿入し、蝶番ピン１３０の凹部１３１を把持する。使用者は、バネ１４０の付勢力に抗して凹部１３１を引き下げることで、蝶番ピン１３０を下側へと移動させる。これにより、蝶番ピン１３０の上端位置は、扉側部材１１０の上端面１１１に近い位置まで低下する。図７には、このように蝶番ピン１３０が引き下げられた状態の扉側部材１１０が、図６と同様の視点で描かれている。
【００３９】
図７の状態においては、蝶番ピン１３０は、その全体が箱体側部材１２０の保持穴１２５から外れた状態となっている。つまり、蝶番ピン１３０が、扉側部材１１０のみに挿通されており、箱体側部材１２０には挿通されていない状態となっている。このように、蝶番ピン１３０の全体が保持穴１２５から外れている状態は、本実施形態における「第２状態」に該当する。当該状態においては、蝶番１００が、扉側部材１１０と箱体側部材１２０とに分離されている。このため、使用者は扉３０を箱体２０から取り外すことができる。使用者が、凹部１３１を把持して行う上記操作は、蝶番ピン１３０を第１状態から第２状態へと切り換える操作、ということができる。
【００４０】
尚、蝶番ピン１３０の全体が同一径の円柱形状となっており、凹部１３１が形成されていないような態様としてもよい。ただし、被操作部として凹部１３１が形成されている方が、上記操作を使用者がより容易に行うことができるので好ましい。
【００４１】
尚、扉３０を再び箱体２０に取り付ける際には、使用者は上記とは逆の手順で操作を行えばよい。
【００４２】
本実施形態に係るキャビネット１０は、蝶番ピン１３０を、扉３０の外側表面３２よりも更に外側となる位置に配置することで、扉３０を広く開放した状態とすることが可能となっている。また、蝶番ピン１３０の操作を、扉３０の内側からのみ行い得る構成とすることで、外側からの操作で扉３０が外されてしまうような事態が防止されている。
【００４３】
蝶番ピン１３０の操作を更に容易に行い得るように、蝶番ピン１３０に棒状の操作バーを設けて、当該操作バーを開口３３から扉３０の内側へと突出させる構成も考えられる。しかしながら、そのような構成においては、操作バーが扉３０の内側へと突出することになる。扉３０が閉じられているときには、操作バーの一部が、開口３３からキャビネット１０の内部空間に向けて突出した状態となる。このため、扉３０が閉じられたときに、操作バーの先端が電気電子機器や配線と干渉し、これらを傷つけてしまう可能性がある。
【００４４】
これに対し、本実施形態では、蝶番ピン１３０の全体が、扉３０の外側表面３２よりも更に外側となる位置に配置されている。このような構成においては、蝶番ピン１３０の一部が、キャビネット１０の内側に突出することがない。このため、扉３０が閉じられた際においても、蝶番ピン１３０によって電気電子機器や配線等が傷付けられてしまうことがない。
【００４５】
以上に説明したように、本実施形態に係る蝶番１００は、扉３０に取り付けられる扉側部材１１０と、箱体２０に取り付けられる箱体側部材１２０と、扉側部材１１０及び箱体側部材１２０の両方に挿通される蝶番ピン１３０と、を備える。蝶番ピン１３０は、扉側部材１１０によって保持されたまま、所定方向（本実施形態では上下方向）に沿って移動することで、蝶番ピン１３０の一部が、箱体側部材１２０に形成された保持穴１２５に挿通されている第１状態と、蝶番ピン１３０の全体が保持穴１２５から外れている第２状態と、が切り替わるものである。蝶番１００では、上記の第１状態及び第２状態の切り替えを行うための操作を、扉３０に形成された開口３３を通じて、扉３０の内側から行うことが可能となっている。蝶番ピン１３０は、その全体が、扉３０の外側表面３２よりも更に外側となる位置に配置されている。これにより、蝶番ピン１３０に対する操作が扉３０の内側から行われる構成としながらも、蝶番ピン１３０によって電気電子機器等が傷付けられてしまうことが防止される。
【００４６】
尚、本実施形態においては、扉側部材１１０が、蝶番ピン１３０を上下方向に移動可能な状態で保持している「第１部材」に該当し、箱体側部材１２０が、保持穴１２５の形成された「第２部材」に該当する。このような態様とは逆に、箱体側部材１２０が「第２部材」に該当し、扉側部材１１０が「第１部材」に該当するような態様としてもよい。つまり、蝶番ピン１３０が、箱体側部材１２０によって保持されたまま上下方向にスライドすることで、蝶番ピン１３０の一部が扉側部材１１０に設けられた保持穴に挿通されている第１状態と、蝶番ピン１３０の全体が保持穴から外れている第２状態と、が切り替わるように構成されていてもよい。このような態様であっても、これまでに説明したものと同様の効果を奏することができる。
【００４７】
蝶番１００の構成は、以上に説明したような態様に限定されるものではなく、種々の変更を加えることができる。図８には、本実施形態の変形例に係る蝶番１００が備える、蝶番ピン１３０の構成が模式的に示されている。この変形例では、蝶番ピン１３０のうち凹部１３１よりも下方側の部分の外径が、凹部１３１よりも上方側の外径よりも大きくなっており、これにより大径部１３２が形成されている。使用者が凹部１３１を把持し、第１状態と第２状態とを切り替える操作を行う際には、大径部１３２が使用者の指に係るので、上記の操作を更に容易に行うことが可能となっている。この変形例では、凹部１３１及び大径部１３２が「被操作部」に該当する。このように、被操作部において、蝶番ピン１３０の側面の一部が外方に突出している態様としてもよい。ただし、この変形例においても、蝶番ピン１３０は、大径部１３２を含む全体が、扉３０の外側表面３２よりも更に外側となる位置に配置されていることが好ましい。
【００４８】
他の変形例について、図９を参照しながら説明する。この変形例では、蝶番ピン１３０に、凹部１３１に替えて凹部１３３が形成されている。凹部１３３は、凹部１３１のように蝶番ピン１３０の全周に亘って形成されているのではなく、蝶番ピン１３０のうち扉３０側の面にのみ形成されている。この変形例では、凹部１３３が「被操作部」に該当する。尚、凹部１３３よりも下方側の部分を、図９において点線Ｄ１で示されるように、扉３０側に向けて突出させた構成としてもよい。ただし、この場合であっても、蝶番ピン１３０は、点線Ｄ１の突出部分を含む全体が、扉３０の外側表面３２よりも更に外側となる位置に配置されることが好ましい。
【００４９】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００５０】
１０：キャビネット
２０：箱体
３０：扉
３３：開口
１００：蝶番
１１０：扉側部材
１２０：箱体側部材
１２５：保持穴
１３０：蝶番ピン
【要約】
【課題】蝶番ピンの操作を扉の内側から行い得る構成としながらも、電気電子機器や配線を傷つけてしまうことのない蝶番、及び当該蝶番を備えたキャビネットを提供する。
【解決手段】蝶番１００は、扉３０に取り付けられる扉側部材１１０と、箱体２０に取り付けられる箱体側部材１２０と、蝶番ピン１３０と、を備える。蝶番ピン１３０は、扉側部材１１０に保持されたまま移動することで、その一部が箱体側部材１２０の保持穴１２５に挿通されている第１状態と、その全体が保持穴１２５から外れている第２状態と、が切り替わるものである。蝶番１００は、第１状態及び第２状態の切り替えを行うための操作を、扉３０に形成された開口３３を通じて、扉３０の内側から行うことが可能となっている。蝶番ピン１３０は、その全体が、扉３０の外側表面よりも更に外側となる位置に配置されている。
【選択図】図６【図１】
0006730494.tif 000002
【図２】
0006730494.tif 000003
【図３】
0006730494.tif 000004
【図４】
0006730494.tif 000005
【図５】
0006730494.tif 000006
【図６】
0006730494.tif 000007
【図７】
0006730494.tif 000008
【図８】
0006730494.tif 000009
【図９】
0006730494.tif 000010